(57)【要約】      （修正有）【課題】直列変圧器の一次巻線に過電圧が誘起した時に電磁接触器の接点を通して一次巻線を短絡することにより、一次巻線に接続されている回路を保護する自動電圧調整装置において、電磁接触器の操作電圧が喪失した場合にも保護動作を行うことを可能にする。【解決手段】保護用開閉器としてｂ接点５０１ｕを主回路接点として有する電磁接触器５ｕを用いる。電磁接触器５ｕを制御する制御部６は、直列変圧器１ｕの一次巻線の両端の電圧が正常な範囲にあることを検出しているときに電磁接触器５ｕを励磁して接点５０１ｕをオフ状態に保ち、直列変圧器１ｕの一次巻線の両端に異常過電圧が発生したことを検出したときに電磁接触器５の励磁を解いて接点５０１ｕを閉じるように構成されている。【選択図】図２
2016042279.tif 000002
【特許請求の範囲】
【請求項１】
線路に並列に接続されるタップ付きの調整変圧器と、前記調整変圧器のタップを切り換える負荷時タップ切換器と、前記調整変圧器の出力電圧が調整電圧として一次巻線に印加され、二次巻線が線路に直列に接続される直列変圧器と、前記直列変圧器の一次巻線に対して並列に接続された主回路接点を有する保護用開閉器と、前記直列変圧器の一次巻線の両端に異常過電圧が発生したことが検出された時に前記主回路接点を閉じるように保護用開閉器を制御する制御部とを備えた自動電圧調整装置であって、
前記保護用開閉器はｂ接点を主回路接点として有する電磁接触器からなっていて前記ｂ接点が前記直列変圧器の一次巻線に対して並列に接続され、
前記制御部は、前記直列変圧器の一次巻線の両端の電圧が正常な範囲にあることを検出しているときに前記電磁接触器を励磁し、前記直列変圧器の一次巻線の両端に異常過電圧が発生したことを検出したときに前記電磁接触器の励磁を解くように構成されていること、
を特徴とする自動電圧調整装置。
【請求項２】
前記電磁接触器は交流操作形の電磁接触器である請求項１に記載の自動電圧調整装置。
【請求項３】
前記調整変圧器は二次巻線の一端と他端との間に少なくとも一つのタップを有し、
前記負荷時タップ切換器は、前記調整変圧器の二次巻線の一端と前記直列変圧器の一次巻線の一端との間及び各タップと前記直列変圧器の一次巻線の一端との間にそれぞれ接続された複数のタップ選択用スイッチと、前記直列変圧器の一次巻線の両端に橋絡用スイッチを通して並列に接続された限流抵抗器とを備えて、前記橋絡用スイッチを一時的に閉路状態にすることにより前記直列変圧器の一次巻線の両端が開放状態になるのを防ぎつつ、閉路状態にするタップ選択用スイッチを切り換えることにより前記調整変圧器から直列変圧器の一次巻線に印加する調整電圧を切り換えるように構成され、
前記タップ選択用スイッチ及び橋絡用スイッチはサイリスタスイッチからなっている請求項１又は２に記載の自動電圧調整装置。
【請求項４】
前記調整変圧器は二次巻線の一端と他端との間に少なくとも一つのタップを有し、
前記負荷時タップ切換器は、前記調整変圧器の二次巻線の一端と前記直列変圧器の一次巻線の一端との間及び各タップと前記直列変圧器の一次巻線の一端との間にそれぞれ挿入された複数のタップ選択用スイッチと、前記調整変圧器の二次巻線の他端と前記直列変圧器の一次巻線の他端との間に接続された第１の極性切換用スイッチと、前記調整変圧器の二次巻線の一端と前記直列変圧器の一次巻線の他端との間に接続された第２の極性切換用スイッチと、前記直列変圧器の一次巻線の両端に橋絡用スイッチを通して並列に接続された限流抵抗器とを備えて、前記橋絡用スイッチを一時的に閉路状態にすることにより前記直列変圧器の一次巻線の両端が開放状態になるのを防ぎつつ、閉路状態にするタップ選択用スイッチと閉路状態にする極性切換用スイッチの組み合わせを切り換えることにより前記調整変圧器から直列変圧器の一次巻線に印加する調整電圧を切り換えるように構成され、
前記タップ選択用スイッチ、各極性切換用スイッチ及び橋絡用スイッチは、サイリスタスイッチからなっていること、
を特徴とする請求項１又は２に記載の自動電圧調整装置。
【請求項５】
前記直列変圧器の一次巻線の両端に異常過電圧が発生した直後から前記電磁接触器のｂ接点を閉じた状態にするまでの時間を２０ｍsec以上２００ｍsec以下とするように前記制御部及び（又は）電磁接触器が構成されていることを特徴とする請求項３又は４に記載の自動電圧調整装置。
【請求項６】
前記サイリスタスイッチは、サイリスタをスイッチング素子とした、双方向性を有するソリッドステートコンタクタである請求項３ないし５の何れかに記載の自動電圧調整装置。
【発明の詳細な説明】
【技術分野】
【０００１】
本発明は、配電系統に設置される自動電圧調整装置に関するものである。
【背景技術】
【０００２】
配電系統に設置される自動電圧調整装置として、特許文献１に示されているように、線路に並列に接続されるタップ付きの調整変圧器と、調整変圧器のタップを切り換えるタップ切換装置と、調整変圧器の出力電圧が調整電圧として一次巻線に印加され、二次巻線が線路に直列に接続される直列変圧器とを備えたものが用いられている。
【０００３】
図３は、従来のこの種の自動電圧調整装置の一相分の構成を示したものである。同図において１は一次巻線１ｐ及び二次巻線１ｓを有して、二次巻線１ｓが配電線２に直列に接続された直列変圧器、３は一次巻線３ｐ及びタップ付の二次巻線３ｓを有して、一次巻線３ｐが線路に並列に接続された調整変圧器である。また４は、調整変圧器３の二次巻線に設けられているタップの中から通電タップとして選択するタップを配電線に負荷電流が流れている状態で切り換える負荷時タップ切換器（ＯＬＴＣ：On Load Tap Changer ）であり、負荷時タップ切換器４により選択されているタップを通して出力される調整変圧器３の出力電圧が、直列変圧器１の一次巻線１ｐに調整電圧として印加されている。
【０００４】
この種の自動電圧調整装置においては、負荷時タップ切換器４でタップ選択用のスイッチが破損したり、配線が断線する等して、直列変圧器１の一次巻線１ｐから負荷時タップ切換器４側を見た回路が(直列変圧器の一次側が）開放状態になった際に、直列変圧器の二次巻線１ｓを通して流れる系統の負荷電流が直列変圧器の励磁電流となって、直列変圧器の一次巻線に異常過電圧Ｖａが発生する。この過電圧が負荷時タップ切換器４に印加されると、負荷時タップ切換器を構成している部品が破損するおそれがある。特に、特許文献１に示されているように、負荷時タップ切換器４に設けられているタップ選択用のスイッチとしてサイリスタのような半導体スイッチが用いられている場合には、該半導体スイッチのうち、開路状態にあるスイッチが過電圧の印加により容易に破損してしまう。
【０００５】
そこで、特許文献１には特に記載されていないが、この種の自動電圧調整装置では、直列変圧器の一次巻線に保護用開閉器の主回路接点を並列に接続して、直列変圧器の一次巻線に異常過電圧が誘起したときに、保護用開閉器の接点を閉路状態にすることにより直列変圧器の一次巻線を短絡して、負荷時タップ切換器を保護するようにしている。図３に示した例では、ａ接点５０１′を主回路接点として有する機械ラッチ式の電磁接触器５′を保護用開閉器として用い、この電磁接触器の接点５０１′を直列変圧器の一次巻線１ｐに対して並列に接続している。機械ラッチ式の電磁接触器は、投入コイルと引き外しコイルとからなる励磁コイルを備えていて、投入コイルが励磁された際に接点５０１′を閉路状態にするとともに、該接点５０１′を機械的にラッチして、引き外しコイルが励磁されるまでの間その閉路状態を保持するようになっている。
【０００６】
電磁接触器としては、励磁コイルに印加する操作電圧として直流電圧を用いる直流操作形のものと、励磁コイルに印加する操作電圧として交流電圧を用いる交流操作形のものとがあるが、操作電源喪失時にも投入操作を行う必要があることから、従来の自動電圧調整装置では、保護用開閉器として、操作電源喪失直後にも蓄えた電荷で投入可能である直流操作形の電磁接触器を専ら用いていた。なお、直流操作型の電磁接触器の方が動作スピードが速いというメリットもある。
【０００７】
電磁接触器５′を制御するために、制御部６′が設けられる。直列変圧器１の一次巻線１ｐの両端の電圧の情報を制御部６′に与えるため、一次巻線１ｐの両端に計器用変圧器（ＰＴ）７の一次巻線が接続され、この計器用変圧器の二次巻線に得られる電圧が制御部６′に入力されている。図示の例では、電磁接触器５′の励磁コイル（図示せず。）に与える直流操作電圧を得るために、調整変圧器３に三次巻線３ｔが設けられ、この三次巻線に誘起する交流電圧が直流操作用電源回路８′に入力されている。直流操作用電源回路８′は、三次巻線３ｔの出力電圧を直流電圧に変換する回路からなっていて、直流操作用電源回路８′が出力する直流電圧が直流操作電圧として制御部６′に与えられている。また三次巻線３ｔの出力電圧を一定の直流電圧に変換する制御電源回路９が設けられ、この制御電源回路９の出力電圧が制御部６′の電源端子に印加されている。直流操作用電源回路８′と三次巻線３ｔとにより電磁接触器５′に操作電圧を与える直流操作電源が構成され、制御電源回路９と三次巻線３ｔとにより制御部６′に電源電圧を与える制御電源が構成されている。
【０００８】
制御部６′は、制御電源回路９から直流電源電圧が与えられることにより動作状態になって、計器用変圧器７の出力電圧から直列変圧器１の一次巻線に異常過電圧が発生したことを検出した時に、直流操作用電源回路８′から与えられている直流操作用電圧を電磁接触器５′の励磁コイルに印加する。これにより電磁接触器５′の接点５０１′を閉路状態にし、接点５０１′を通して直列変圧器１の一次巻線を短絡することにより負荷時タップ切換器４を過電圧から保護する。
【０００９】
上記のように、ラッチ機能を有する電磁接触器５′を保護用開閉器として用いると、直列変圧器の一次巻線１ｐに過電圧が誘起したことが検出されたときに電磁接触器５′を一度閉路状態にすることができれば、その後制御部６′が破損したり、直流操作用電源回路８′の出力が喪失したりして電磁接触器５′に操作用電圧を印加することができない状態が生じた場合でも、接点５０１′を閉路状態に保持して、保護が働いた状態を維持することができる。
【００１０】
従来の自動電圧調整装置では、電磁接触器５′として直流操作形のものを用い、直流操作用電源回路８′を用意しておくことが必要であった。一般に、直流操作形の電磁接触器を動作させるためには、大きな操作用電力を必要とし、また操作電源喪失直後も操作可能とするため、直流操作用電源回路８′は、大容量のスイッチング電源回路や、大容量の電解コンデンサを出力コンデンサとして用いた大形の整流電源回路により構成する必要があった。
【先行技術文献】
【特許文献】
【００１１】
【特許文献１】特開平８−３３５１２１号公報
【発明の開示】
【発明が解決しようとする課題】
【００１２】
上記のように、従来の自動電圧調整装置では、保護用開閉器を構成する電磁接触器５′に設けられた主回路接点５０１′がａ接点であったため、過電圧発生時に直流操作用電源回路８′が故障していた場合や、制御部６′を動作させるための制御電源回路が故障していた場合、或いは制御部６′自体が故障していた場合に保護動作を行うことができず、直列変圧器の一次巻線に異常過電圧が誘起した場合に負荷時タップ切換器４が破壊するのを防ぐことができないという問題があった。
【００１３】
また従来の自動電圧調整装置では、保護用開閉器を構成する電磁接触器として、大きな操作用電力を必要とする直流操作形のものを用いていたため、直流操作用電源回路８′の大型化を招くだけでなく、そのコストが高くなるという問題があった。また大容量の電解コンデンサを出力コンデンサとして用いた整流電源回路により直流操作用電源回路８′を構成した場合には、コンデンサの寿命が短いため、配電設備の耐用寿命期間内にその点検や交換を何回も行うことが必要になって、メンテナンスに要する費用が高くなるという問題があった。
【００１４】
従来の自動電圧調整装置ではまた、直列変圧器の一次側が開放状態になって直列変圧器の一次巻線に異常過電圧が発生した場合に、異常過電圧の発生からどの程度の時間内で短絡保護動作を完了すれば負荷時タップ切換器を確実に保護することができるのか明確な検証が行われていなかったため、自動電圧調整装置の保護システムを設計する上での指針が存在せず、その設計が容易でないという問題があった。
【００１５】
本発明の主な目的は、直列変圧器の一次側が開放状態になる事故が発生した際にその一次巻線に誘起する異常過電圧に対して負荷時タップ切換器側の回路を保護する保護動作を、異常過電圧発生時に電磁接触器の操作用電源回路が故障していた場合や、電磁接触器を制御する制御部が働かなかった場合でも確実に行わせることができるようにした自動電圧調整装置を提供することにある。
【００１６】
本発明の他の目的は、直列変圧器の一次巻線に誘起した異常過電圧に対して負荷時タップ切換器側の回路を保護する保護動作を、電磁接触器の操作用電源の大形化を招いたり、メンテナンスに要するコストの上昇を招いたりすることなく行わせることができる自動電圧調整装置を提供することにある。
【００１７】
本発明の他の目的は、自動電圧調整装置において、直列変圧器の一次巻線に誘起する異常過電圧に対して負荷時タップ切換器の保護を図るシステムの設計を容易にするための指針を提供することにある。
【課題を解決するための手段】
【００１８】
本発明は、線路に並列に接続されるタップ付きの調整変圧器と、調整変圧器のタップを切り換えるタップ切換装置と、調整変圧器の出力電圧が調整電圧として一次巻線に印加され、二次巻線が線路に直列に接続される直列変圧器と、直列変圧器の一次巻線に対して並列に接続された主回路接点を有する保護用開閉器と、直列変圧器の一次巻線の両端に異常過電圧が発生したことが検出された時に前記主回路接点を閉じるように保護用開閉器を制御する制御部とを備えた自動電圧調整装置を対象とする。
【００１９】
本明細書には、前記の目的を達成するために、少なくとも以下に示す第１の発明ないし第６の発明が開示される。
本明細書に開示された第１の発明においては、ｂ接点を主回路接点として有する電磁接触器を保護用開閉器として用い、該電磁接触器のｂ接点を直列変圧器の一次巻線に対して並列に接続する。制御部は、直列変圧器の一次巻線の両端の電圧が正常な範囲にあることを検出しているときに電磁接触器を励磁し、直列変圧器の一次巻線の両端に異常過電圧が発生したことを検出したときに電磁接触器の励磁を解くように構成されている。
【００２０】
上記のように、ｂ接点を主回路接点として有する電磁接触器を保護用開閉器として用いて、該電磁接触器のｂ接点を直列変圧器の一次巻線に並列接続しておくと、異常過電圧発生時に操作用電源や制御部が故障した場合でも、直列変圧器の一次巻線を短絡した状態に保持することができるため、負荷時タップ切換器の保護の万全を期することができる。
【００２１】
本明細書に開示された第２の発明においては、電磁接触器として、交流操作形の電磁接触器（励磁コイルに印加する操作電圧が交流電圧である電磁接触器）を用いる。
【００２２】
保護用開閉器として交流操作形の電磁接触器を用いれば、大容量の直流操作用電源回路を必要としないため、操作用電源が大形になるのを防ぐことができる。また電磁接触器に操作電圧を与える電源として寿命が短い電界コンデンサを備えた直流電源を用いる必要がないため、自動電圧調整装置のメンテナンスに要するコストの削減を図ることができる。
【００２３】
本明細書に開示された第３の発明では、調整変圧器の二次巻線の一端と他端との間に少なくとも一つのタップが設けられ、負荷時タップ切換器は、調整変圧器の二次巻線の一端と直列変圧器の一次巻線の一端との間及び各タップと直列変圧器の一次巻線の一端との間にそれぞれ接続された複数のタップ選択用スイッチと、直列変圧器の一次巻線の両端に橋絡用スイッチを通して並列に接続された限流抵抗器とを備えて、橋絡用スイッチを一時的に閉路状態にすることにより直列変圧器の一次巻線の両端が開放状態になるのを防ぎつつ、閉路状態にするタップ選択用スイッチを切り換えることにより調整変圧器から直列変圧器の一次巻線に印加する調整電圧を切り換えるように構成されている。この場合、タップ選択用スイッチ及び橋絡用スイッチは、スイッチ素子としてサイリスタを用いたサイリスタスイッチにより構成される。
【００２４】
本明細書に開示された第４の発明においても、調整変圧器の二次巻線の一端と他端との間に少なくとも一つのタップが設けられる。本発明においては、負荷時タップ切換器が、調整変圧器の二次巻線の一端と直列変圧器の一次巻線の一端との間及び各タップと直列変圧器の一次巻線の一端との間にそれぞれ挿入された複数のタップ選択用スイッチと、調整変圧器の二次巻線の他端と直列変圧器の一次巻線の他端との間に接続された第１の極性切換用スイッチと、調整変圧器の二次巻線の一端と直列変圧器の一次巻線の他端との間に接続された第２の極性切換用スイッチと、直列変圧器の一次巻線の両端に橋絡用スイッチを通して並列に接続された限流抵抗器とを備えて、橋絡用スイッチを一時的に閉路状態にすることにより直列変圧器の一次巻線の両端が開放状態になるのを防ぎつつ、閉路状態にするタップ選択用スイッチと閉路状態にする極性切換用スイッチの組み合わせを切り換えることにより調整変圧器から直列変圧器の一次巻線に印加する調整電圧を切り換えるように構成される。この場合も、タップ選択用スイッチ、各極性切換用スイッチ及び橋絡用スイッチは、サイリスタスイッチにより構成される。
【００２５】
本明細書に開示された第５の発明は、上記第３の発明又は第４の発明に適用されるもので、本発明においては、直列変圧器の一次巻線の両端に異常過電圧が発生した直後から電磁接触器のｂ接点を閉じた状態にするまでの時間を２０ｍsec以上２００ｍsec以下とするように制御部及び（又は）電磁接触器を構成する。
【００２６】
第３の発明又は第４の発明のように負荷時タップ切換器が構成される場合、直列変圧器の一次巻線の両端に異常過電圧が発生した後、電磁接触器のｂ接点が閉路状態に復帰するまでに要する時間が短すぎると、電磁接触器のｂ接点と未だ閉路状態にある負荷時タップ切換器内のタップ選択用スイッチとを通してタップ間短絡事故が生じるおそれがあるが、本発明者が行った検証の結果、上記のように、直列変圧器の一次巻線の両端に異常過電圧が発生した直後から電磁接触器のｂ接点を閉じた状態にするまでの時間を２０ｍsec以上にするように制御部及び（又は）電磁接触器を構成しておくと、タップ間短絡事故が発生するのを防ぐことができることが確認された。
【００２７】
また本発明者が行った検証の結果から、サイリスタスイッチは、開路状態にあるときに直列変圧器の一次巻線から過電圧が印加される時間が２００ｍsec以下であれば破壊することがないことが確認された。従って、上記のように、直列変圧器の一次巻線の両端に異常過電圧が発生した直後から電磁接触器のｂ接点を閉じた状態にするまでの時間を２００ｍsec以下とするように構成しておけば、サイリスタスイッチが破壊するのを防ぐことができる。
【００２８】
上記サイリスタスイッチとしては、サイリスタをスイッチング素子とした、双方向性を有するソリッドステートコンタクタを用いることができる。
【００２９】
本発明で用いる「電磁接触器」は、所定の通電性能を有して電磁石により駆動されるｂ接点を主回路接点(主回路電流を流す接点）として備えて、電磁石を励磁することにより該ｂ接点を開路状態にし，電磁石の励磁を解くことにより、該ｂ接点を閉路状態に復帰させるように構成された開閉器(電磁的に操作される開閉器）であればよく、市販される際に電磁接触器の名称で分類されるものであるか否かは問わない。
【発明の効果】
【００３０】
本発明によれば、ｂ接点を主回路接点として有する電磁接触器を保護用開閉器として用いて、該電磁接触器のｂ接点を直列変圧器の一次巻線に並列接続したので、直列変圧器の一次側が開放された状態になって、直列変圧器の一次巻線に異常過電圧が発生する事故が生じた時に、操作用電源や制御部が故障していた場合でも、直列変圧器の一次巻線を短絡した状態に保持することができ、負荷時タップ切換器の保護の万全を期することができる。
【００３１】
本発明において、保護用開閉器として交流操作形の電磁接触器を用いた場合には、大容量の直流操作用電源回路を必要としないため、操作用電源が大形になるのを防ぐことができる。また電磁接触器に操作電圧を与える電源として寿命が短い電界コンデンサを備えた直流電源を用いる必要がないため、自動電圧調整装置のメンテナンスに要するコストの削減を図ることができる。
【００３２】
本発明において、直列変圧器の一次巻線の両端に異常過電圧が発生した直後から電磁接触器のｂ接点を閉じた状態にするまでの時間を２０ｍsec以上２００ｍsec以下とするように構成した場合には、電磁接触器のｂ接点が閉路状態に復帰するまでに要する時間が短くなりすぎて、電磁接触器のｂ接点と未だ閉路状態にある負荷時タップ切換器内のタップ選択用スイッチとを通してタップ間短絡事故が生じるのを防ぐことができ、また、開路状態にあるサイリスタスイッチが過電圧の印加により破壊するのを防ぐことができる。本発明によれば、保護用開閉器を構成する電磁接触器が満たすべき動作条件を明確にすることができるため、電磁接触器の選定及び電磁接触器を制御する制御部の設計を容易にすることができる。
【図面の簡単な説明】
【００３３】
【図１】本発明の一実施形態の構成を示した回路図である。
【図２】図１に示した実施形態の一相分の構成を示した回路図である。
【図３】従来の自動電圧調整装置の一相分の構成を示した回路図である。
【発明を実施するための形態】
【００３４】
以下図面を参照して本発明の一実施形態につき詳細に説明する。
図１は、本発明に係る自動電圧調整装置の一実施形態の全体的な構成を示したものである。同図において、１ｕ〜１ｗはそれぞれＵ，Ｖ，Ｗ三相の直列変圧器、２ｕ〜２ｗはそれぞれ定格電圧が６６００ボルトのＵ，Ｖ，Ｗ三相の配電線、３ｕ〜３ｗはそれぞれＵ，Ｖ，Ｗ三相の調整変圧器である。直列変圧器１ｕ〜１ｗはそれぞれ一次巻線１pu〜１pwと二次巻線１su〜１swとを有していて、二次巻線１su〜１swの一端及び他端がそれぞれ電源側の線路接続端子１０ｕ〜１０ｗ及び負荷側の線路接続端子１１ｕ〜１１ｗに接続されている。線路接続端子１０ｕ〜１０ｗ及び１１ｕ〜１１ｗがそれぞれ電源側及び負荷側の配電線２ｕ〜２ｗに接続されることにより、直列変圧器１ｕ〜１ｗの二次巻線１su〜１swがそれぞれ配電線２ｕ〜２ｗに直列に接続される。
【００３５】
調整変圧器３ｕ〜３ｗは、それぞれ一次巻線３pu〜３pwと二次巻線３su〜３swとを有していて、本実施形態では一次巻線３pu〜３pwがスター結線され、一次巻線３pu〜３pwの非中性点側の端子がそれぞれ負荷側線路接続端子１１ｕ〜１１ｗに接続されることにより、一次巻線３pu〜３pwが配電線に並列に接続されている。
【００３６】
調整変圧器３ｕ〜３ｗの二次巻線３su〜３swには複数のタップが設けられていて、二次巻線３su〜３swの出力電圧がそれぞれ負荷時タップ切換器４ｕ〜４ｗを通して直列変圧器１ｕ〜１ｗの一次巻線１pu〜１pwに印加されている。３相の直列変圧器１ｕ〜１ｗのそれぞれの一次巻線の両端には、保護用開閉器を構成する電磁接触器５ｕ〜５ｗの接点と、三相の直列変圧器１ｕ〜１ｗの一次巻線の両端の電圧を計測する計器用変圧器７ｕ〜７ｗの一次巻線とが並列に接続されている。
【００３７】
図２を参照すると、Ｕ相の負荷時タップ切換器４ｕとその周辺の回路の構成が拡大して示されている。図２に示されているように、調整変圧器３ｕの二次巻線３suは、その一端３ａと他端３ｂとの間に２つのタップｔ1及びｔ2を有し、調整変圧器の二次巻線３suの一端３ａと直列変圧器１ｕの一次巻線１puの一端１ａとの間、タップｔ1と直列変圧器の一次巻線１puの一端１ａとの間及びタップｔ2と直列変圧器の一次巻線の一端１ａとの間にそれぞれタップ選択用スイッチＡ，Ｂ及びＣが接続されている。また調整変圧器３ｕの二次巻線３suの他端３ｂと直列変圧器１ｕの一次巻線１puの他端１ｂとの間及び調整変圧器３ｕの二次巻線３suの一端３ａと直列変圧器１ｕの一次巻線１puの他端１ｂとの間にそれぞれ第１の極性切換用スイッチＴ１及び第２の極性切換用スイッチＴ２が接続され、直列変圧器の一次巻線の両端に橋絡用スイッチＳを通して限流抵抗器Ｒが並列に接続されている。タップ選択用スイッチＡ〜Ｃと、第１及び第２の極性切換用スイッチＴ１及びＴ２と、限流抵抗器Ｒと、橋絡用スイッチＳとにより負荷時タップ切換器４ｕが構成されている。負荷時タップ切換器の各スイッチを制御するため、別途制御装置が設けられているが、負荷時タップ切換器の各スイッチを制御する制御装置の図示は省略されている。
【００３８】
負荷時タップ切換器４ｕの回路が開放状態になった際に直列変圧器１ｕの一次巻線１puに誘起する異常過電圧Ｖａから負荷時タップ切換器４ｕを保護するため、ｂ接点５０１ｕを有する電磁接触器５ｕが保護用開閉器として設けられ、電磁接触器５ｕのｂ接点５０１ｕが直列変圧器１の一次巻線１puの両端に並列に接続されている。電磁接触器５ｕを制御するために制御部６が設けられ、直列変圧器の一次巻線１puの両端に一次巻線が並列接続された計器用変圧器７ｕの出力が制御部６に与えられている。
【００３９】
またこの例では、調整変圧器３に三次巻線３ｔが設けられ、この三次巻線の出力が交流操作用電源回路８を通して制御部６の操作用電圧入力端子にに与えられるとともに、制御電源回路９に与えられている。交流操作用電源回路８は、三次巻線３ｔの出力電圧を電磁接触器５ｕの励磁コイルに与えるのに適した電圧に変換して制御部６に与える。また制御電源回路９は、三次巻線３ｔの出力電圧を、制御部６を動作させるために必要な一定の直流電圧に変換して、該直流電圧を制御部６の電源端子に与える。この例では、交流操作用電源回路８と三次巻線３ｔとにより電磁接触器５ｕに交流操作電圧を与える操作電源が構成され、制御電源回路９と三次巻線３ｔとにより制御部６に電源電圧を与える制御電源が構成されている。
【００４０】
制御部６は、計器用変圧器７ｕにより検出された電圧から、直列変圧器の一次巻線の両端の電圧が正常な範囲あること、即ち、直列変圧器１ｕの一次巻線に異常過電圧が発生しておらず、直列変圧器１ｕの一次側に調整電圧が正常に印加されていることを検出しているときに、交流操作用電源回路８から与えられている交流操作電圧を電磁接触器５ｕの励磁コイルに与えてその接点５０１ｕを開路状態に保つ。制御部６はまた、直列変圧器１ｕの一次巻線の両端に異常過電圧が発生したことを検出したときに電磁接触器５ｕへの操作電圧の供給を停止することにより電磁接触器５ｕの励磁を解いて、その接点５０１ｕを閉路状態に復帰させるように構成されている。直列変圧器の一次巻線に異常過電圧が発生したときに電磁接触器５ｕの接点５０１ｕを閉路状態に復帰させることにより、直列変圧器の一次巻線を短絡して、負荷時タップ切換器４ｕに異常過電圧が印加されるのを防止する。
【００４１】
なお図２に示した例では、三次巻線３ｔと制御部６との間に交流操作用電源回路８を設けているが、三次巻線３ｔから、電磁接触器５ｕに与える操作電圧に等しい交流電圧を得ることができる場合には、交流操作用電源回路８を省略して、三次巻線３ｔ自体を電磁接触器５ｕの操作電源として用いることができる。
【００４２】
他の相の負荷時タップ切換器の構成もＵ相の負荷時タップ切換器の構成と同様であり、Ｖ相の直列変圧器１ｖの一次巻線の両端及びＷ相の直列変圧器１ｗの一次巻線の両端にも、電磁接触器５ｖ及び５ｗのｂ接点５０１ｖ及び５０１ｗと、計器用変圧器７ｕ及び７ｗの一次巻線とが並列に接続されている。
【００４３】
電磁接触器５ｕ〜５ｗを制御する制御部６は、三相の直列変圧器の一次巻線の両端にそれぞれｂ接点５０１ｕ〜５０１ｗが接続された電磁接触器５ｕ〜５ｗに対して共通に設けてもよく、三相の電磁接触器５ｕ〜５ｗのそれぞれに対して個別に設けてもよい。
【００４４】
本実施形態において、タップ選択用スイッチＡないしＣと、第１の極性切換用スイッチＴ１及び第２の極性切換用スイッチＴ２と、橋絡用スイッチＳとは、サイリスタをスイッチング素子として用いた双方向性のサイリスタスイッチにより構成されている。サイリスタスイッチとしては、サイリスタとサイリスタを駆動する回路とを組み合わせて構成したディスクリートな構成を有するものを用いてもよいが、コストの低減を図るためには、市販のソリッドステートコンタクタ（ＳＳＣ）を用いるのが好ましい。ソリッドステートコンタクタは、サイリスタをスイッチング素子とした双方向性のスイッチ主回路と、該スイッチ主回路を構成するサイリスタを駆動するドライバとをユニット化したもので、外部から与える制御信号によりオンオフ制御することができる。
【００４５】
本実施形態で用いている負荷時タップ切換器においては、タップ選択用スイッチＡが閉路状態にあり、第２の極性切換用スイッチＴ２が閉路状態にあって、他のタップ選択用スイッチＢ、Ｃ、第１の極性切換用スイッチＴ１及び橋絡用スイッチＳが開路状態にあるときに、調整変圧器３ｕ〜３ｗから直列変圧器１ｕ〜１ｗの一次巻線に印加される調整電圧が０となって、６４８０ボルトのタップを選択した状態になるようになっており、この状態から閉路状態にするタップ選択用スイッチと閉路状態にする極性切換用スイッチの組合わせを切り換えることにより、１２０ボルトステップでタップを切換えることができるようになっている。タップを切り換える際には、タップ選択用スイッチ及び極性切換用スイッチの双方が開路状態になる瞬間に直列変圧器の一次巻線から負荷時タップ切換器側を見た回路が開放状態になって直列変圧器の一次巻線に異常電圧が誘起するのを防ぐために、一時的に橋絡用スイッチＳを閉路状態にして、直列変圧器の一次巻線の両端に限流抵抗器Ｒを並列に接続する。
【００４６】
例えば、タップ選択用スイッチＡが閉路状態にあり、第２の極性切換用スイッチＴ２が閉路状態にあって、タップ選択用スイッチＢ、Ｃ及び橋絡用スイッチＳが開路状態にある状態から配電線電圧を１ステップ分（１２０ボルト分）上昇させて６６００ボルトのタップを選択した状態にする場合には、タップ選択用スイッチＡ及び第２の極性切換用スイッチＴ２を閉路状態にしたままで、先ず橋絡用スイッチＳを閉路状態にして直列変圧器の一次巻線の両端に限流抵抗器Ｒを接続する。その後、タップ選択用スイッチＡ及び第２の極性切換用スイッチＴ２を共に開路状態にし、タップ選択用スイッチＣと第１の極性切換用スイッチＴ１とを閉路状態にする。次いで、橋絡用スイッチＳを開路状態にして、タップ選択用スイッチＣと第１の極性切換用スイッチＴ１のみが閉路した状態にする。この状態では、調整変圧器の二次巻線の１タップ間の電圧が調整電圧として直列変圧器の一次巻線に印加され、６６００ボルトのタップを選択した状態になる。
【００４７】
同様にして、橋絡用スイッチを一時的に閉路状態にすることにより、直列変圧器の一次巻線の両端が開放状態になるのを防止しつつ、閉路状態にするタップ選択用スイッチと極性切換用スイッチの組合わせを切換えることにより、選択するタップの電圧を１２０ボルト刻みで調整することができる。閉路状態にするタップ選択用スイッチと極性切換用スイッチの組合わせと選択されたタップ電圧との関係をまとめて示すと下記の表１の通りである。
【表１】
2016042279.tif 000003
【００４８】
本実施形態において、直列変圧器１ｕ〜１ｗの何れかの一次巻線から負荷時タップ切換器側を見た回路が開放状態になって，直列変圧器の一次側が開放された場合には、一次側が開放された直列変圧器の二次巻線を通して流れる系統の負荷電流が当該直列変圧器の励磁電流となって、その一次巻線に異常過電圧Ｖａが発生する。この過電圧が負荷時タップ切換器に印加されると、負荷時タップ切換器に設けられている部品、特に開路状態にあるスイッチが破損するおそれがある。
【００４９】
直列変圧器の一次側の開放は、例えば、タップ切換の過程で橋絡用スイッチＳを閉路することができない状態で、タップ選択用スイッチ及び極性切換用スイッチの双方を開路状態にした際や、タップ選択用スイッチと調整変圧器のタップとの間を接続しているコネクタが外れた場合等に起る。またタップ選択用スイッチと調整巻線の二次巻線との間にヒューズが挿入されている場合には、通電中のタップ選択用スイッチに接続されているヒューズが溶断したときにも直列変圧器の一次側の開放が起る。
【００５０】
本実施形態のように、直列変圧器１ｕ〜１ｗの一次巻線に対して並列に電磁接触器５ｕ〜５ｗのｂ接点を接続して、制御部６により何れかの直列変圧器の一次巻線に異常過電圧が発生したことが検出されたときに、該異常過電圧が検出された相の直列変圧器の一次巻線にｂ接点が並列接続された電磁接触器を非励磁にして、そのｂ接点を閉路状態にするようにしておくと、異常過電圧が負荷時タップ切換器側に印加されるのを防いで、負荷時タップ切換器の構成部品が破壊されるのを防ぐことができる。
【００５１】
上記のように、直列変圧器の一次巻線に誘起する異常過電圧に対する保護装置を構成する電磁接触器の主回路開閉部をｂ接点としておくと、操作電源を失った状態でも必ず接点を閉路状態にすることができ、ａ接点を備えた機械ラッチ式の電磁接触器のように、閉路動作を行わせるために有電圧指令や操作電源を必要としないことから、制御系の異常や操作電源の故障が発生した際の保護の信頼性を格段に高めることができる。
【００５２】
なお上記の実施形態では、保護用開閉器を構成する電磁接触器として、交流操作形のものを用いたが、本発明は保護用開閉器として交流操作形の電磁接触器を用いる場合に限定されるものではなく、ｂ接点を主回路接点として有する直流操作形の電磁接触器を保護用開閉器として用いることもできる。
【実施例】
【００５３】
直列変圧器１ｕ〜１ｗの一次巻線に対して並列接続するｂ接点５０１ｕ〜５０１ｗを有する電磁接触器５ｕ〜５ｗとして、市販の３種類の電磁接触器を用いて下記の表２に示す３種類の三相自動電圧調整装置を試作し、直列変圧器の負荷時タップ切換器側回路の開放事故時の挙動について検証を行った。
【表２】
2016042279.tif 000004
【００５４】
表２に示された試作ＮＯ．１の試作品では、保護用開閉器として、主回路接点がｂ接点である直流操作形の電磁接触器を用い、操作用電源としては直流スイッチング電源を用いた。この試作品で用いた電磁接触器の閉路動作時間（主回路接点が開路状態から閉路状態になるのに要する時間）は，１３〜２９ｍsecである。
【００５５】
また表２に示された試作ＮＯ．２の試作品では、保護用開閉器として、主回路接点がｂ接点である交流操作形の電磁接触器を用いた。この場合、交流操作用電源回路は特に設けずに、調整変圧器の三次巻線の出力電圧をそのまま操作用電圧として用いた。この試作品で用いた電磁接触器の閉路動作時間は，４５〜１０５ｍsecである。
【００５６】
表２に示された試作ＮＯ．３の試作品は、従来品に相当するもので、保護用開閉器とし主回路接点がａ接点である機械ラッチ式の直流操作形の電磁接触器を用いた。この場合、操作用電源としては、直流スイッチング電源を用いた。この試作品で用いた電磁接触器の閉路動作時間は、１８ｍsecである。
【００５７】
なお各試作品の定格線路容量は５００ｋＶＡとし、タップ選択用スイッチＡ〜Ｃ、極性切換用スイッチＴ１，Ｔ２及び橋絡用スイッチＳを構成するサイリスタスイッチとしては、以下の表３に示す特性を有する市販のソリッドステートコンタクタを採用した。負荷時タップ切換器の回路構成は図２に示したものと同様である。
【表３】
2016042279.tif 000005
【００５８】
各試作品に対する検証は、定格線路容量５００ｋＶＡ分の定格負荷電流を系統側に通電した状態において、負荷時タップ切換器のソリッドステートコンタクタを制御する制御部の制御電源が失われたために直列変圧器の一次側が開放状態になって、直列変圧器の一次巻線に異常過電圧が発生し、かつ保護用開閉器である電磁接触器の操作電源が喪失したことにより、電磁接触器にも操作電圧が与えられなくなったという過酷な事故が起った場合を想定して行った。
【００５９】
負荷時タップ切換器のソリッドステートコンタクタを制御する制御部に与える制御電源が喪失すると、すべてのソリッドステートコンタクタが開路状態となって直列変圧器の一次側が開放状態となり、直列変圧器の一次巻線に異常過電圧が発生する。このとき、試作ＮＯ．１の試作品及び試作ＮＯ．２の試作品では、電磁接触器の主回路接点がｂ接点であるため、操作電源が喪失した際に接点が閉路動作を行い、自ずと電磁接触器が短絡保護動作を行う。しかしながら、試作ＮＯ３の試作品では、機械ラッチ機構を動作させるための操作電源も喪失していることから、電磁接触器の接点は閉路動作を行わなかった。従って試作ＮＯ３の試作品では、、短絡保護動作が行われず、負荷時タップ切換器の回路が絶縁破壊するまで異常過電圧が発生する状態が継続した。
【００６０】
検証の結果を下記の表４にまとめて示した。
【表４】
2016042279.tif 000006
【００６１】
表４から明らかなように、本発明を実現した試作ＮＯ．１及び試作ＮＯ．２の試作品においては問題なく保護が行われたのに対し、従来の製品に相当する試作ＮＯ．３の試作品では、スイッチング電源が故障や寿命等で機能していない状態で制御電源を喪失するという過酷な事故が起こった場合に、負荷時タップ切換器を保護することができなかった。
【００６２】
また、表４に示された検証結果から、直列変圧器の一次側が開放されてから電磁接触器による短絡保護が完了までの時間が２００ｍsec以下であれば、負荷時タップ切換器が破壊されることがないことが分る。本実施形態の自動電圧調整装置で用いている負荷時タップ切換器において、最も耐電圧性能が低く、過電圧の印加により破壊されやすいのはソリッドステートコンタクタであるが、直列変圧器の一次巻線に誘起する過電圧が印加される時間が２００ｍsec以下であれば、耐電圧性能が比較的低いとされるソリッドステートコンタクタであっても破壊されることがないことが明らかになった。
【００６３】
一方、表３に示されているように、ソリッドステートコンタクタの開路動作時間は１０ｍsecであるが、負荷時タップ切換器のソリッドステートコンタクタが閉路動作を行う前に、電磁接触器５ｕ〜５ｗの接点５０１ｕ〜５０１ｗの閉路動作が完了してしまうと、タップ間短絡が発生する。即ち負荷時タップ切換器において、タップ選択用スイッチＡ〜Ｃの何れかと、極性切換用スイッチＴ１，Ｔ２の何れかとが閉路して一つのタップを選択している状態で、タップを切り換えるために、橋絡用スイッチＳをオン状態にする前に、電磁接触器５ｕ〜５ｗの主回路接点（ｂ接点）５０１ｕ〜５０１ｗがオン状態になってしまうと、該主回路接点とオン状態にあるタップ選択用スイッチ及び極性切換用スイッチとを通して調整変圧器の二次巻線のタップ間が短絡されて過電流が流れてしまう。
【００６４】
このような事態が生じるのを防ぐため、保護用開閉器として用いる電磁接触器の主回路接点が閉路動作を完了するのに要する時間は１０ｍsecよりも長くしておく必要がある。電磁接触器の最短閉路動作完了時間は、１０ｍsecを超える時間に設定しておけばよいが、電磁接触器の最短閉路動作完了時間は、裕度をみてある程度長めに設定しておくことが望ましい。そこで本発明の好ましい態様では、直列変圧器の一次側が開放される事故が発生してから電磁接触器の閉路動作が完了するまでの時間を、２０ｍsecないし２００ｍｓecの範囲に設定する。
【００６５】
上記のように、直列変圧器の一次側が開放される事故が発生してから電磁接触器の閉路動作が完了するまでの時間がとるべき範囲がはっきりしていれば、直列変圧器の一次巻線に誘起する異常過電圧から負荷時タップ切換器を保護するシステムの設計を容易にすることができる。電磁接触器の動作速度は、採用する電磁接触器を決める際にある程度選択可能であり、また電磁接触器の励磁コイルにコンデンサを並列接続したり、制御部から電磁接触器に与えていた操作電圧を除去するタイミングを調整したりすることにより、調整することが可能である。
【００６６】
上記の実施形態では、保護用開閉器を構成する電磁接触器に操作電圧を与える電源や、制御部に与える電源を調整変圧器に設けた三次巻線からとるとしたが、配電線電圧を降圧するトランスを別途設けて、このトランスの出力から電磁接触器に与える操作電圧や電磁接触器を制御する制御部に与える制御電源電圧を得るようにすることもできる。負荷時タップ切換器の各スイッチを制御する制御装置（図示せず。）の電源についても同様である。
【００６７】
前述のように、本発明で保護用開閉器として用いる電磁接触器は、直列変圧器の一次巻線を短絡し得る通電容量を有するｂ接点を主回路接点として有して、該ｂ接点を電磁石により開閉操作するものであれば如何なるものでもよい。
【００６８】
上記の実施形態では、負荷時タップ切換器が３つのタップ選択用スイッチＡ〜Ｃを備えているが、タップ選択用スイッチの数は調整変圧器の二次巻線に設けるタップの数により異なるのはもちろんである。また上記の実施形態では、負荷時タップ切換器として、タップ選択用スイッチの他に極性切換用スイッチＴ１及びＴ２を用いる形式のものを採用したが、本発明は上記のような負荷時タップ切換器を用いる場合に限定されない。例えば、調整変圧器の二次巻線に設けるタップの数を多くすることにより必要な調整範囲の電圧調整を行うことができる場合には、極性切換用スイッチＴ１及びＴ２を省略することもできる。
【００６９】
この場合、負荷時タップ切換器は、調整変圧器の二次巻線の一端と直列変圧器の一次巻線の一端との間及び各タップと直列変圧器の一次巻線の一端との間にそれぞれ挿入された複数のタップ選択用スイッチと、直列変圧器の一次巻線の両端に橋絡用スイッチを通して並列に接続された限流抵抗器とを備えて、橋絡用スイッチを一時的に閉路状態にすることにより直列変圧器の一次巻線の両端が開放状態になるのを防ぎつつ、閉路状態にするタップ選択用スイッチを切り換えることにより調整変圧器から直列変圧器の一次巻線に印加する調整電圧を切り換えるように構成される。
【符号の説明】
【００７０】
１ｕ〜１ｗ  直列変圧器
１pu〜１pw  直列変圧器の一次巻線
１su〜１sw  直列変圧器の二次巻線
２ｕ〜２ｗ  配電線
３ｕ〜３ｗ  調整変圧器
３pu〜３pw  調整変圧器の一次巻線
３su〜３sw  調整変圧器の二次巻線
３ｔ  三次巻線
４ｕ〜４ｗ  負荷時タップ切換器（ＯＬＴＣ）
５ｕ〜５ｗ  保護用開閉器を構成する電磁接触器
５０１ｕ〜５０１ｗ  ｂ接点（主回路接点）
６  制御部
Ａ〜Ｃ  タップ選択用スイッチ
Ｔ１  第１の極性切換スイッチ
Ｔ２  第２の極性切換スイッチ
Ｓ  橋絡用スイッチ
Ｒ  限流抵抗器
【図１】
2016042279.tif 000007
【図２】
2016042279.tif 000008
【図３】
2016042279.tif 000009